(57)【要約】      （修正有）【課題】柔軟性滑り止め部材により耳の後ろを挟む挟端の圧力を減らすとともに、柔軟性滑り止め付ヘアバンドと耳の後ろの皮膚との摩擦係数を増やすことにより、快適性及び安定性を向上させた柔軟性滑り止め付ヘアバンドを提供する。【解決手段】柔軟性滑り止め付ヘアバンド１００は、バンド部１及び２つの挟端２を有するヘアバンド本体１０を含む。バンド部１は、弧状プレート体である。挟端２は、バンド部１の両端にそれぞれ設けられ、柔軟性滑り止め部材４を内触面３のそれぞれに有する。柔軟性滑り止め部材４は、挟端２の周りにそれぞれ設けられている。柔軟性滑り止め部材４は、ＴＰＵ部材、シリコーンゲル部材、ＴＰＲ部材又はＴＰＥ部材からなる。バンド部１の内触面には、柔軟性滑り防止部材１１２が設けられる。柔軟性滑り防止部材１１２は、バンド部１の凹溝中に配置される。【選択図】図１
0003183395.tif 000002
【実用新案登録請求の範囲】
【請求項１】
バンド部及び２つの挟端部を有するヘアバンド本体を含む柔軟性滑り止め付ヘアバンドであって、
前記バンド部は、弧状プレート体であり、
前記挟端部は、前記バンド部の両端にそれぞれ設けられ、柔軟性滑り止め部材を内触面のそれぞれに有することを特徴とする柔軟性滑り止めヘアバンド。
【請求項２】
前記柔軟性滑り止め部材は、前記挟端部の周りにそれぞれ設けられていることを特徴とする請求項１に記載の柔軟性滑り止め付ヘアバンド。
【請求項３】
前記柔軟性滑り止め部材は、ＴＰＵ部材、シリコーンゲル部材、ＴＰＲ部材又はＴＰＥ部材からなることを特徴とする請求項１に記載の柔軟性滑り止め付ヘアバンド。
【請求項４】
前記バンド部の前記内触面には、柔軟性滑り防止部材が設けられることを特徴とする請求項１に記載の柔軟性滑り止め付ヘアバンド。
【請求項５】
前記柔軟性滑り防止部材は、前記バンド部の凹溝中に配置されることを特徴とする請求項４に記載の柔軟性滑り止め付ヘアバンド。
【請求項６】
前記柔軟性滑り防止部材は、ＴＰＵ部材、シリコーンゲル部材、ＴＰＲ部材又はＴＰＥ部材からなることを特徴とする請求項４に記載の柔軟性滑り止めヘアバンド。
【請求項７】
前記バンド部の前記内触面は、複数の櫛歯を有することを特徴とする請求項１に記載の柔軟性滑り止め付ヘアバンド。
【請求項８】
前記挟端部と前記柔軟性滑り止め部材との間には、熱溶着面が形成されることを特徴とする請求項１に記載の柔軟性滑り止め付ヘアバンド。
【請求項９】
前記柔軟性滑り止め部材は、丘状を呈していることを特徴とする請求項１に記載の柔軟性滑り止め付ヘアバンド。
【請求項１０】
前記柔軟性滑り止め部材は、平面状を呈していることを特徴とする請求項１に記載の柔軟性滑り止め付ヘアバンド。
【考案の詳細な説明】
【技術分野】
【０００１】
本考案は、頭飾品に関し、特に、柔軟性滑り止め付ヘアバンドに関する。
【背景技術】
【０００２】
一般に女性は、ヘアゴム、ヘアクリップ、簪又はヘアバンドにより髪を整える。そのなかでもヘアバンドは使用方法が簡単な上、髪を整えるのに特別な技術も必要ないため人気がある。従来のヘアバンドは弧状プレート体であり、一般にプラスチック又は金属からなり、その外側面には、見た目を良くするために飾りが設けられ、バンド部の内触面に櫛歯を有し、髪の毛を整えたり纏めたりすることができる上、髪の毛に留めて髪へヘアバンドを固定することができる。バンド部の両端には、耳の後ろで留めてヘアバンドが滑り落ちることを防ぐことができるように、挟端部がそれぞれ設けられている。
【０００３】
従来のヘアバンドは、見た目を良くしたり簡便に収納したりすることができるように改良が加えられているが、２つの挟端部によって耳の後ろで留めるため当該箇所が圧迫され、ユーザが痛みを感じる虞があった。また、櫛歯により髪の毛に留めるとともに２つの挟端部により耳の後ろに留められているだけであるため、挟端部と耳の後ろの皮膚との摩擦力が小さすぎ、揺れによりヘアバンドが滑り落ちる虞があった。
【考案の概要】
【考案が解決しようとする課題】
【０００４】
そのため、本考案の目的は、挟端部によって耳の後ろに加えられる圧力を減らすとともに、ヘアバンドと耳の後ろの皮膚との間の摩擦力を高めて固定効果を得て、ヘアバンドを安定的に髪へ固定することができるとともに、耳の後ろで留める挟端部によりユーザが痛みを感じることを防ぐ柔軟性滑り止め付ヘアバンドを提供することにある。
【課題を解決するための手段】
【０００５】
上記課題を解決するために、本考案の第１の形態によれば、バンド部及び２つの挟端部を有するヘアバンド本体を含む柔軟性滑り止め付ヘアバンドであって、前記バンド部は、弧状プレート体であり、前記挟端部は、前記バンド部の両端にそれぞれ設けられ、柔軟性滑り止め部材を内触面のそれぞれに有することを特徴とする柔軟性滑り止めヘアバンドが提供される。
【０００６】
前記柔軟性滑り止め部材は、前記挟端部の周りにそれぞれ設けられていることが好ましい。
【０００７】
前記柔軟性滑り止め部材は、ＴＰＵ部材、シリコーンゲル部材、ＴＰＲ部材又はＴＰＥ部材からなることが好ましい。
【０００８】
前記バンド部の前記内触面には、柔軟性滑り防止部材が設けられることが好ましい。
【０００９】
前記柔軟性滑り防止部材は、前記バンド部の凹溝中に配置されることが好ましい。
【００１０】
前記柔軟性滑り防止部材は、ＴＰＵ部材、シリコーンゲル部材、ＴＰＲ部材又はＴＰＥ部材からなることが好ましい。
【００１１】
前記バンド部の前記内触面は、複数の櫛歯を有することが好ましい。
【００１２】
前記挟端部と前記柔軟性滑り止め部材との間には、熱溶着面が形成されることが好ましい。
【００１３】
前記柔軟性滑り止め部材は、丘状を呈していることが好ましい。
【００１４】
前記柔軟性滑り止め部材は、平面状を呈していることが好ましい。
【考案の効果】
【００１５】
本考案の柔軟性滑り止め付ヘアバンドは、柔軟性滑り止め部材により耳の後ろを挟む挟端部の圧力を減らし、柔軟性滑り止め付ヘアバンドと耳の後ろの皮膚との摩擦係数を増やすことにより、柔軟性滑り止め付ヘアバンドを使用する際の快適性及び安定性を向上させることができる。
【図面の簡単な説明】
【００１６】
【図１】図１は、本考案の第１実施形態に係る柔軟性滑り止め付ヘアバンドを示す斜視図である。
【図２】図２は、本考案の第１実施形態に係る柔軟性滑り止め付ヘアバンドを示す断面図である。
【図３】図３は、本考案の第２実施形態に係る柔軟性滑り止め付ヘアバンドを示す斜視図である。
【図４】図４は、本考案の第２実施形態に係る柔軟性滑り止め付ヘアバンドを示す断面図である。
【考案を実施するための形態】
【００１７】
以下、本考案の実施形態について図に基づいて説明する。なお、これによって本考案が限定されるものではない。
【００１８】
（第１実施形態）
図１及び図２を参照する。図１は、本考案の第１実施形態に係る柔軟性滑り止め付ヘアバンドを示す斜視図である。図２は、本考案の第１実施形態に係る柔軟性滑り止め付ヘアバンドを示す断面図である。図１及び図２に示すように、本考案の第１実施形態に係る柔軟性滑り止め付ヘアバンド１００は、バンド部１及び２つの挟端部２を有するヘアバンド本体１０を含む。
【００１９】
バンド部１は、弧状プレート体である。バンド部１の中央部１１は、互いに並列された３つのバンドストリップ１１ａ，１１ｂ，１１ｃを有し、これらバンドストリップ１１ａ，１１ｂ，１１ｃは、バンド部１の両側部１２で互いに接続されている。バンドストリップ１１ａ，１１ｂの内触面３は、複数の櫛歯１１１を有し、バンドストリップ１１ｃの内触面３には、柔軟性滑り防止部材１１２が貼り付けられている。バンド部１の内触面３は、櫛歯１１１及び柔軟性滑り防止部材１１２により、髪との摩擦力を高めて柔軟性滑り止め付ヘアバンド１００が滑り落ちることを防ぐことができる。第１実施形態において、柔軟性滑り防止部材１１２は、ＴＰＵ部材である。このＴＰＵ部材は、好適な軟度を有して摩擦係数が高いＴＰＵ（Ｔｈｅｒｍｏｐｌａｓｔｉｃ  Ｐｏｌｙｕｒｅｔｈａｎｅ）材料からなるため、柔軟性滑り止め付ヘアバンド１００を髪へ安定的に固定させることができる。勿論、他の実施形態では、この柔軟性滑り防止部材１１２をバンド部１の両側部１２へ貼り付けて頭部両側の髪を固定してもよく、粒子状、長尺状又はその他幾何学的形状の形状を有してもよい。
【００２０】
２つの挟端部２は、柔軟性滑り止め部材４が周りにそれぞれ設けられ、バンド部１の両端にそれぞれ設けられている。挟端部２と柔軟性滑り止め部材４との間には、熱溶着面３１が設けられ、柔軟性滑り止め部材４は、熱溶着方式により挟端部２に密着される。実際の製造工程では、柔軟性滑り止め部材４は、２ショットモールド法により挟端部２に密着される。柔軟性滑り止め部材４は、挟持部４１を有する。挟持部４１は、挟端部２の内触面３に位置する。挟持部４１は、丘状を呈し、内触面３に対して垂直方向で隆起する。挟持部４１は、挟端部２が耳の後ろに留められたときにユーザが圧迫感をあまり感じないように一定の厚さを有する。そのため、柔軟性滑り止め付ヘアバンド１００の挟端２により耳の後ろが挟まれてもユーザは痛さを感じず、それが有する高い摩擦係数により耳の後ろの皮膚と摩擦された力により耳の後ろに留め、柔軟性滑り止め付ヘアバンド１００を使用する際の快適性を高めるとともに滑り落ちることを防ぐこともできる。本実施形態の柔軟性滑り止め部材４はＴＰＵ部材である。勿論、他の実施形態において、柔軟性滑り止め部材４ａは、粒子状、長尺状又はその他幾何学的形状でもよい。
【００２１】
（第２実施形態）
図３及び図４を参照する。図３は、本考案の第２実施形態に係る柔軟性滑り止め付ヘアバンドを示す斜視図である。図４は、本考案の第２実施形態に係る柔軟性滑り止め付ヘアバンドを示す断面図である。図３及び図４に示すように、本考案の第２実施形態に係る柔軟性滑り止め付ヘアバンド１００ａは、第１実施形態に係る柔軟性滑り止め付ヘアバンド１００と略同じであるが、相違点を以下詳述する。
【００２２】
ヘアバンド本体１０ａのバンド部１ａは、凹溝３２を有する。柔軟性滑り防止部材１１２ａは、凹溝３２中に配置されて柔軟性滑り止め部材４ａと接続される。勿論、バンド部１ａは、凹溝３２を複数有してもよい。各凹溝３２中に位置する柔軟性滑り防止部材１１２ａは、髪の異なる部位に留められてもよい。各凹溝３２は、柔軟性滑り防止部材１１２ａと髪との間の摩擦力を変えるために、異なる寸法を有してもよい（バンド部１ａの内触面３ａに設けられた柔軟性滑り防止部材１１２ａの面積が大きいほど髪との摩擦力が大きくなり、バンド部１ａの内触面３ａに設けられた柔軟性滑り防止部材１１２ａの面積が小さいほど髪との摩擦力が小さくなる）。また、柔軟性滑り防止部材１１２ａは、シリコーンゲル材料からなるシリコーンゲル部材である。このシリコーンゲルとは、良好な弾性と高いすべり抵抗を有する特殊な耐熱ゴムである。他の実施形態において、柔軟性滑り防止部材１１２ａは、ＴＰＲ部材、ＴＰＥ部材、又はその他滑り止め効果を有する柔軟性材料でもよい。ＴＰＲ部材は、ＴＰＲ（Ｔｈｅｒｍｏｐｌａｓｔｉｃ  Ｒｕｂｂｅｒ）材料からなる。ＴＰＥ部材は、ＴＰＥ（Ｔｈｅｒｍｏｐｌａｓｔｉｃ  Ｅｌａｓｔｏｍｅｒ）材料からなる。
【００２３】
柔軟性滑り止め部材４は、シリコーンゲル部材からなるが、柔軟性滑り止め部材４ａの挟持部４１ａは平面状を呈する。他の実施形態において、柔軟性滑り止め部材４ａは、ＴＰＲ部材、ＴＰＥ部材又はその他滑り止め効果を有する柔軟性材料からなってもよい。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１  バンド部
１ａ  バンド部
２  挟端部
２ａ  挟端部
３  内触面
３ａ  内触面
４  柔軟性滑り止め部材
４ａ  柔軟性滑り止め部材
１０  ヘアバンド本体
１０ａ  ヘアバンド本体
１１  中央部
１１ａ  バンドストリップ
１１ｂ  バンドストリップ
１１ｃ  バンドストリップ
１２  両側部
３１  熱溶着面
３１ａ  熱溶着面
３２  凹溝
４１  挟持部
４１ａ  挟持部
１００  柔軟性滑り止め付ヘアバンド
１００ａ  柔軟性滑り止め付ヘアバンド
１１１  櫛歯
１１１ａ  櫛歯
１１２  柔軟性滑り止め部材
１１２ａ  柔軟性滑り止め部材
【図１】
0003183395.tif 000003
【図２】
0003183395.tif 000004
【図３】
0003183395.tif 000005
【図４】
0003183395.tif 000006